(57)【特許請求の範囲】
【請求項１】
サーバーと、会員が使用する会員端末から前記サーバーに画像情報を送信する送信手段と、前記サーバーは前記画像情報を前記各会員端末から閲覧可能な状態にして記憶する画像登録手段と、前記会員端末から送信された前記画像情報に対するコメントを取得し、該コメントを前記画像情報と関連付けて蓄積するコメント蓄積手段と、前記登録された画像と前記コメントを出力する出力手段と、前記出力手段は、前記コメントを言語ないしは前記コメントを読み出すアクセス情報として出力し、さらに、言語で出力するかアクセス信号で出力するかの判断基準を備え、前記判断基準は、前記コメントを提供したコメント提供者と前記画像をアップロードしたアップロード者との関係を示すアップロード者関係度情報から判断する第１の判断基準と前記コメントの内容を好ましいコメントレベル情報から判断する第２の判断基準とにより決定され、第１判断基準で関係度が最も高いコメント提供者のコメントあるいは第２判断基準で最も好ましいコメント情報の場合、または関係度の高いコメント提供者および好ましいコメント情報の総合点の高いコメントの場合は言語で出力する画像出力システム。
【発明の詳細な説明】
【技術分野】
【０００１】
本発明は、会員同士がメッセージを交換するソーシャルネットワーキングサービス
（Social Networking Service；以下、ＳＮＳ）で会員同士が画像を閲覧ないしは閲覧した
画像に対してコメントを提供乃至は会員の画像を観察できる画像出力システムに関する。
【背景技術】
【０００２】
ここで図１１および図１２に示す特許文献１のように、会員端末５４から会員のコメントを収集及び管理するＳＮＳ提供システム５１において、会員のコメントを募集する画像データを登録する管理者端末５３と、画像データを各会員端末５４から閲覧可能な状態にして記憶し、会員端末５４から送信された画像データに対するコメントを取得し、該コメントを画像データと関連付けて蓄積する管理サーバー５２を備える。管理者端末５３は、会員からのコメントを反映して編集された画像データを最新版の画像データとして送信する。管理サーバー５２は、最新版の画像データを登録し、編集前の画像データを旧版の画像データとして蓄積し、会員端末５４から送信された履歴閲覧要求に基づき、画像データ及びコメントとを履歴情報として会員端末５４に送信し、編集が完了した画像データを、会員端末５４がダウンロード可能な状態にする。
【０００３】
すなわち、図１２に示すようにポスターのような画像に対してコメントを各所から受付けたコメントを参考にして画像に対して改善を加えていい作品を作り上げていくものである。
【先行技術文献】
【特許文献】
【０００４】
【特許文献１】特開２００９−１３９９８１号公報
【発明の概要】
【発明が解決しようとする課題】
【０００５】
特許文献１で画像に対して現在よりよい画像にするために各所からコメントを求めて集めている。すなわち画像をよくするためにいいアイディアを求めているのである。画像には個人的な画像と会のような会員を相手にする画像がある。この特許文献１の画像はポスターのような画像であるのでその会全体のものである。画像をアップロードした人は受け取るコメントの中で、師匠、指導者のコメントを他の人のコメントよりも重要視する人は多い。しかし特許文献１ではその立場によってコメントを重要視するかどうかについては考えられていない。
【０００６】
また、この例では画像に対して多数のコメントを掲載しているが、画像一枚について多数のコメントが寄せられた場合に画像とコメントをまとめた紙が複数ページにわたっている。画像を写真に置き換えて写真１枚に、このようにコメントを載せる場合にコメントが多くなるとまとめて載せるのは困難である。
【０００７】
また特許文献１では、画像に対してコメントを述べて画像を改善して行こうという意図はあるものの、会員の中でコメントをつけた人の画像がどのようなものか、どのような力量があるのか、作風などは知ることはできない。
【０００８】
このような従来の構成が有していた問題点を解決しようとした画像出力システムを提供することを目的とするものである。
【課題を解決するための手段】
【０００９】
本発明の請求項１は、サーバーと、会員が使用する会員端末から前記サーバーに画像情報を送信する送信手段と、前記サーバーは前記画像情報を前記各会員端末から閲覧可能な状態にして記憶する画像登録手段と、前記会員端末から送信された前記画像情報に対するコメントを取得し、該コメントを前記画像情報と関連付けて蓄積するコメント蓄積手段と、前記登録された画像と前記コメントを出力する出力手段と、前記出力手段は、前記コメントを言語ないしは前記コメントを読み出すアクセス情報として出力し、さらに、言語で出力するかアクセス信号で出力するかの判断基準を備え、前記判断基準は、前記コメントを提供したコメント提供者と前記画像をアップロードしたアップロード者との関係を示すアップロード者関係度情報から判断する第１の判断基準と前記コメントの内容を好ましいコメントレベル情報から判断する第２の判断基準とにより決定され、第１判断基準で関係度が最も高いコメント提供者のコメントあるいは第２判断基準で最も好ましいコメント情報の場合、または関係度の高いコメント提供者および好ましいコメント情報の総合点の高いコメントの場合は言語で出力する画像出力システムを提供するものである。
【発明の効果】
【００１８】
上述したように、本発明の画像出力システムは、ＳＮＳのようなコミュニティで画像を同じコミュニティに属している仲間に閲覧してもらうとともに、感想をコメントとして言語で提供され乃至はコメントをＱＲコード等の二次元情報、インターネットアドレス等のアドレス情報にアクセスしてインターネットにより読み出すこともできる。
【００１９】
また指導者とか特別の関係がある会員からのコメント、またはアップロード者にとって気持ちのよいコメントは画像とともにアドレス情報でなくて言語として画像の並置して出力するものである。言語で出力されればそれだけ画像とともに一緒にその言語で記述されたコメントを即座に読むことができるし、何度も見て感動を覚えることができる。
【００２０】
さらに、他の会員の画像もアドレス情報に基づいて読み出してエンジョイすることもできる。自分の画像に対してコメントをくれた人がどのような作風の画像を撮影するのかを知ることが出来て、アップロード者として勉強になる。
【図面の簡単な説明】
【００２１】
【図１】本発明の画像出力システムのブロック図
【図２】本発明の画像出力システムによる出力例のタイプ１
【図３】本発明の画像出力システムによる出力例のタイプ２
【図４】本発明の画像出力システムによる出力例のタイプ３
【図５】本発明の画像出力システムによる出力例のタイプ４
【図６】本発明の画像出力システムにおける表示またはプリントとして出力するタイプを選択するフローチャート
【図７】本発明のアップロード者とコメント提供者との関係を示す関係図
【図８】本発明の画像出力システムの画像に提供するコメントで好意的なコメントを含む好意的語句辞書
【図９】本発明の画像出力システムの制御部のプログラムを表す第１のフローチャート
【図１０】本発明の画像出力システムの制御部のプログラムを表す第２のフローチャート
【図１１】従来例
【図１２】従来例
【発明を実施するための形態】
【００２２】
図１は本発明の画像出力システムを示すブロック図である。
【００２３】
１は個人端末１Ａ、１Ｂ、１Ｃの集まりを示す個人端末ブロックを、２は画像情報を蓄積するサーバーを示し、例えば個人端末ブロック１Ａから、３で示すネットワークを介してサーバー２に画像情報をアップロードして蓄積する。
【００２４】
４は複数の画像情報と、画像情報と共に撮影した撮影日、撮影時間、撮影場所等のＥＸＩＦ情報等を記憶する画像情報等記憶部を示す。
【００２５】
個人端末ブロック１の個人端末１Ａ、１Ｂ、１Ｃからサーバー２にアップロードする画像を、コメントを提供するコメント提供者が見て感じて記憶するコメント情報部を５で示し、５Ａは画像情報をサーバー２にアップロードしたアップロード者とコメントを提供するコメント提供者との関係を示すアップロード者関係度情報を示し、５Ｂはコメント提供者の提供したコメントを示しコメント提供者とコメントとを対に記憶しており、前記コメントは前記画像情報と対応して記憶される。例えばこの画像情報に対してこのコメントが記憶される。５Cはアップロード者が、アップロードした画像情報に対してコメント提供者のコメントを、または他の会員の画像情報を表示またはプリントを出力するタイプを示し、ここでは図３〜図６の形式のいずれかの形式で出力する。
【００２６】
６はサーバー２の各部を制御する制御部を示し、図６、図９はそのプログラムの内容を示すフローチャートである。
【００２７】
画像情報記憶部４から取り出した一つの画像情報を、例えば４Ａとする。
【００２８】
７は、画像情報４Ａに対するコメントを言語として出力するコメント言語出力部を示し、制御部６の図５に基づくプログラムにより、コメント提供者のコメントをそのまま言語で閲覧することができるようにする。
【００２９】
８は、画像情報４Ａに対するコメントにインターネットを介してアクセスするための情報として出力するコメントアクセス情報出力部を示し、コメントを二次元情報、例えばＱＲ情報等の、インターネットにアクセス可能なアクセス情報を用いてインターネットで見ることができるようにする。
【００３０】
９は、画像情報４Ａを含む画像情報にインターネットを介してアクセスするための情報として出力する全画像アクセス情報出力部を示し、あるテーマ等を基に登録されている会員の画像を二次元情報、例えばＱＲ情報等の、インターネットにアクセス可能なアクセス情報を用いてインターネットで閲覧することができるようにする。
【００３１】
またはコメントとして誹謗、中傷的なコメントは制御部８にあらかじめ定めた誹謗・中傷を含む情報を記憶させておき、その記憶された情報と合致または類似したコメントは削除する。
【００３２】
１０は、表示部を示す。選択された画像情報４Ａとコメントが表示部１０に、コメント言語出力部から言語で、またコメントアクセス情報出力部７から出力されたアドレス情報、たとえばＱＲ情報またはインターネットアドレス情報の形で出力される。表示部１０に表示された情報とは個人端末ブロック１の個人端末１Ａ、１Ｂ、１Ｃからネットワーク３を介して閲覧することができる。
【００３３】
また、他の会員の画像をＱＲコードあるいはインターネットアドレス情報の形で出力される。その画像について先に述べたように画像情報部４には画像情報とＥＸＩＦ情報が記憶されており、そのＥＸＩＦ情報を基に画像を読み出せばこの画像出力システムにおいて処理する全画像情報から画像情報の数を制限して読むことが出来る。
【００３４】
１１はプリント装置で、個人端末１Ａ、１Ｂ、１Ｃからネットワーク３を介して制御部６に信号を送り、表示部１０で表示された画像情報４Ａ、画像情報４Ａとコメントをプリントすることができる。このとき、コメントは先に説明したように言語または二次元情報として閲覧できる。
【００３５】
図２は、本発明の画像出力システムによる出力例としてタイプ１を示す。
【００３６】
１駒の画像全体１５の中で、画像はＰで示し、ＣＳはこの画像Ｐに対するコメント文を、例えば「素晴らしい画像で感激しました」のように言語で記入されている。ＣＡは、インターネットアドレスを文字で示されていて、これをスキャナで読み取ってインターネットに接続され、この画像に対するコメントを読取ることができる。
【００３７】
図３は、本発明の画像出力システムによる出力例としてタイプ２を示す。
【００３８】
１駒の画像全体１５の中で画像はＰで示し、ＰＡは、インターネットアドレスの文字が示されていて、これをスキャナで読み取ってインターネットに接続されると他の会員を含む会員グループの画像を閲覧することができる。
【００３９】
図４は、本発明の画像出力システムによる出力例としてタイプ３を示す。
【００４０】
１駒の画像全体１５のなかで画像はＰで示し、ＰＡは、インターネットアドレスの文字が示されていてこれをスキャナで読み取ってインターネットに接続されると他の会員を含む会員グループの画像を閲覧することができる。またＣＳはコメントを言語の形、例えば前述のように「素晴らしい画像で感激しました」というような言語で示されており、ＣＡは、インターネットアドレスの言語が示されていてこれをスキャナで読み取ってインターネットに接続するとこの画像Ｐに関するコメントを読取ることができる。
【００４１】
図５は、本発明の画像出力システムによる出力例としてタイプ４を示す。
【００４２】
１５は１駒の画像全体を、Ｐは画像を示し、ＣＳはこの画像Ｐに対して言語で記入されているコメントを示し、ここでは画像Ｐの上下に二箇所に配されているが一箇所でもよい。ＱＣは、ＱＲコード等の二次元コードで示したコメントを示し、このＱＣに携帯電話をＱＲコード読取モードにした状態でアクセスしてインターネットに接続するとこの画像に対するコメントを読取ることができる。ＱＰは同じくＱＲコード等の二次元コードを示したＥＸＩＦ情報等で検索された会員の全画像を示し、このＱＰに携帯電話をＱＲコード読取モードにした状態でアクセスしてインターネットに接続すると会員の全画像を見ることができる。全画像はＥＸＩＦ情報等で検索して絞る場合もある。
【００４３】
図６は、本発明の画像出力システムにおける表示またはプリントとして出力するタイプを選択するフローチャートを示す。出力するタイプに関して前述したように図２〜図５で示す。
【００４４】
本発明の画像出力システムにおいて、会員のサーバーに対してアップロードした画像に提供されたコメントを直接に言語で乃至はインターネットを介して閲覧する場合と、他の会員の画像をインターネットを介して閲覧する場合があり、Ｓ１で画像に対して「コメントのみ」を閲覧できるように選択するか否かを判定し、「コメントのみ」を閲覧可能なときにＳ２に進んでタイプ１、すなわち図２に示すタイプを選択する。
【００４５】
図１で画像アップロード者である個人端末からネットワーク３を介してサーバー２にある出力タイプ５Ｃにタイプ１を設定すると、制御部６は表示部１０に、タイプ１の状態で表示するように制御する。アップロードした画像情報４Ａとこの画像情報を閲覧したコメント提供者からのコメント文をコメント言語出力部７より、同じくコメント提供者からのコメントにアクセスできる情報をコメントアクセス情報出力部８より表示部１０に出力する。
【００４６】
Ｓ３では「コメントのみ」を選択せず、また「画像のみ」を選択するか否かを判定し、他の会員の画像のみを閲覧する際にはＳ４に進みタイプ２、すなわち図３に示すタイプを選択する。
【００４７】
図１で画像アップロード者である個人端末からネットワーク３を介してサーバー２にある出力タイプ５Ｃにタイプ２を設定すると、制御部６を介して表示部１０にタイプ２の状態で表示するように制御する。アップロードした画像情報４Ａと他の会員の画像情報を全画像アクセス情報出力部９より出力して表示部１０に出力する。
【００４８】
Ｓ３で「画像のみ」をＳ４に進まないとき、すなわちアップロード者の画像情報に対するコメントを閲覧することができ、さらに他の会員の画像情報を閲覧できる場合に、Ｓ５に進み、インターネットにアクセスする情報としてＱＲ情報等の二次元コードを使用するか否かを判定し、二次元コード情報を使用しないときはＳ６に進みタイプ３を、すなわち図４に示すタイプを選択する。
【００４９】
図１で画像アップロード者である個人端末からネットワーク３を介してサーバー２にある出力タイプ５Ｃにタイプ３を設定すると、制御部６を介して表示部１０にタイプ３の状態で表示するように制御する。アップロードした画像情報４Ａとこの画像情報４Ａに対するコメントをコメント言語出力部７、コメントアクセス情報出力部８より出力し、他の会員の画像情報を全画像アクセス情報出力部９から出力して表示部１０に出力する。
【００５０】
二次元コードを使用すると判断したとき、Ｓ７に進み、タイプ４を、すなわち図５に示すタイプを選択する。
【００５１】
図１で画像アップロード者である個人端末からネットワーク３を介してサーバー２にある出力タイプ５Ｃにタイプ４を設定すると、制御部６を介して表示部１０にタイプ４の状態で表示するように制御する。アップロードした画像情報４Ａとこの画像情報４Ａに対するコメントをコメント言語出力部７、コメントアクセス情報出力部８より出力し、他の会員の画像情報を全画像アクセス情報出力部９から出力して表示部１０に出力する。
【００５２】
図７はアップロード者とコメントを提供するコメント提供者との関係度を示すアップロード者関係度、関係度順位の情報の一例を示す。
【００５３】
アップロード者が撮影した画像に対してコメントを提供するコメント提供者Ａ〜Ｅとアップロード者との関係を示している。ここでＤはアップロード者の指導者であり、Ａは親友で、Ｂ、Ｅは親友Ａの友人で、Ｃは知らない他人であることを示している。
【００５４】
コメントをつけたコメント提供者の順位を示す関係度順位は、あらかじめ定めた方式で順位がつけられ、提供されたコメントを言語で表す方式にするか、または二次元情報等のアクセス情報を基にインターネットに接続してコメントを読み出す方式にするかを示す順位を示す。ここでは、指導者が１位で、次に親友が２位で、次に親友の友人、更に友人の友人は順位が下がるようにしている。この順位は絶対的なものでなく一例であり、その都度定めてもよい。
【００５５】
図８は本発明の画像出力システムの画像に提供するコメントで好意的なコメントを含む好意的語句辞書を示す。
【００５６】
図７はコメント提供者、例えば指導者のコメントを提供する人の関係度順位を１位にするように、コメントを提供する人とアップロード者の関係から順位を決めたが、図８は例えば、特開２００９−２６５９１４に示されているが、図６の方式と異なって、アップロード者とコメント提供者の関係に左右されずに好意的なコメントを含む好意的語句辞書の例を示したものである。
【００５７】
好意的コメントを抽出する場合に、コメントのそれぞれと、好意的語句辞書に記載されている好意的語句とを比較し、一致した好意的語句を抽出して下記の式で演算する。
（数１）
好意度＝Σ（好意的語句の重み×好意的語句の数）
【００５８】
図９は本発明の画像出力システムにおける制御部でコメントを出力するプログラムを示すフローチャートである。
【００５９】
まず、Ｓ１１で個人端末１Ａ〜１Ｃより画像をサーバー２にアップロードして登録し、Ｓ１２で他の会員の個人端末からコメントが提供されたかどうかを判定し、提供されていなければＳ１３に進んで特にコメントが存在しないのでコメントを記入できない。
【００６０】
コメントが提供されていればＳ１４に進んで、コメントの中に、制御部６であらかじめ記憶された誹謗・中傷の言語群の中に該当する誹謗・中傷の言語に相当するものがないかどうかを判定し、誹謗・中傷の言語があればＳ１３に進みコメントを記録しない。
【００６１】
もし誹謗・中傷に該当する言語に相当するものがない場合は、Ｓ１５に進んでコメントをつけたコメント提供者のアップロード者との関係度を優先するか、またはコメントの内容を優先するか、またはコメント提供者とアップロード者との関係度とコメントの内容の両方を加味した綜合点で判定するかを決定する。
【００６２】
もし前記関係度を優先する場合はＳ１６に進み、図６のコメント提供者Ｄのように最高の関係にあるコメント提供者のコメントを、Ｓ１７に進んで言語の形で画像に記録する。
【００６３】
それ以外のコメント提供者のコメントはＳ１８に進み、ＱＲコード等の二次元コードで記録する。
【００６４】
Ｓ１５でコメントの内容を優先する場合はＳ１９に進み最も好意的なコメントを図７のように好ましい語句の数とポイント数の累積から決めて、最も好意的なコメントとして決まったコメントをＳ１７に進んで言語の形で画像に記録する。
【００６５】
それ以外のコメントはＳ８に進んでＱＲコード等の二次元コードを画像に記録する。
【００６６】
また、前記関係度優先と前記コメント内容優先とを組み合わせた綜合点で最高点のコメントを言語で表すとするとＳ２０に進み最高点はＳ１７に進み言語で記録し、それ以外のコメントはＳ１８に進んでＱＲコード等の二次元コードで画像に記録する。
【００６７】
ここで綜合点において最高点のコメントを選ぶ判断として、例えば前記関係度優先で最高点が複数のコメントがあった場合に前記コメント内容の上位のコメントを選択し、また前記コメント内容優先で最高点が複数あったときに前記関係度の上位のコメントを選択することを含む。特に言語としてコメントを出力する際に、コメント数に限りがあるので有効である。
【００６８】
図１０は本発明の画像出力システムの制御部のプログラムを表す第２のフローチャートを示し、画像に対してコメントを提供したコメント提供者の画像を表示するプログラムである。
【００６９】
Ｓ３１で画像に対するコメントを見るためにアクセス情報にアクセスしてＳ３２でコメントの一覧を得る。コメントは図１でコメント情報部５の５Ｂにコメント提供者と対で記憶されている。
【００７０】
Ｓ３３でその中でコメントを指定すると、Ｓ３４に進んで自動的にコメント提供者の名前を制御部を介して表示部６に表示され、ネットワーク３を介して例えば個人端末１Ａからみることができる。
【００７１】
Ｓ３５に進んで個人端末１Ａの表示部の不図示のタッチスイッチに触れると、制御部６を介してコメント提供者と関係する画像情報等記憶部４からがコメント提供者の画像の一覧を表示する。
【００７２】
個人端末１Ａ、１Ｂ、１Ｃから表示部１０および個人端末１Ａ、１Ｂ、１Ｃのモニターに表示されたコメント付の画像を、ネットワーク３を介して制御部６に画像を注文すると、制御部は表示部１０を介してプリント装置１１に信号を出力し、画像のプリントを注文する。
【００７３】
プリント装置１１は不図示の金額演算装置を備えており、その金額演算装置で金額を演算し、個人端末個人端末１Ａ、１Ｂ、１Ｃに伝送されて金額がそれぞれの表示部に表示される。
【００７４】
ここまで画像情報に対してコメントの提供、他の会員の画像を閲覧について言語、二次元コード使用、不使用のインターネットアドレス表示について例として４つのタイプに従って説明した。ここまで示したタイプ以外のものも考えられるが、本発明の画像出力システムの趣旨と異なるものではない。
【符号の説明】
【００７５】
１          個人端末ブロック
２          サーバー
３          ネットワーク
４          画像情報等記憶部
５          コメント情報部
６          制御部
７          コメント言語出力部
８          コメントアクセス情報出力部
９          全画像アクセス情報出力部
１０        表示部
１１        プリント装置
【図１】
0005592167.tif 000002
【図２】
0005592167.tif 000003
【図３】
0005592167.tif 000004
【図４】
0005592167.tif 000005
【図５】
0005592167.tif 000006
【図６】
0005592167.tif 000007
【図７】
0005592167.tif 000008
【図８】
0005592167.tif 000009
【図９】
0005592167.tif 000010
【図１０】
0005592167.tif 000011
【図１１】
0005592167.tif 000012
【図１２】
0005592167.tif 000013